(57)【特許請求の範囲】
【請求項１】
原稿台上に載置された複数枚の原稿をピックアップローラにより分離ローラとリバースローラの間に送り出し、原稿搬送方向に回転される分離ローラと原稿搬送方向に対して逆方向に回転されるリバースローラとにより前記ピックアップローラにより送り出されてきた原稿を１枚ずつ分離して原稿読取部に搬送するとともに、前記原稿台上に前記原稿をセットする際には、前記ピックアップローラと前記分離ローラの間の閉止位置に位置して、前記原稿台上にセットされる前記原稿の先端を整え、前記原稿台上の前記原稿の搬送時には、前記原稿台上から離隔した待避位置に移動して前記原稿の搬送を可能とするシャッタを備えた原稿分離給紙装置において、前記シャッタは、前記リバースローラの回転軸に当該回転軸を支点として前記閉止位置と前記待避位置とに回動可能に取り付けられるとともに、所定の伝達手段により前記リバースローラの回転軸の回転が伝達されて前記閉止位置と前記待避位置とに回動されることを特徴とする原稿分離給紙装置。
【請求項２】
前記シャッタは、前記原稿台上にセットされた前記原稿の先端の当接する部分が、前記原稿台から離れた側から前記原稿台方向に向かって前記原稿搬送方向に所定角度傾斜した傾斜面を有していることを特徴とする請求項１記載の原稿分離給紙装置。
【請求項３】
前記伝達手段は、少なくとも前記シャッタを前記閉止位置から前記待避位置に回動させる際に、前記リバースローラの回転軸の回転を所定の遅延時間遅延させて前記シャッタに伝達することを特徴とする請求項１または請求項２記載の原稿分離給紙装置。
【請求項４】
前記シャッタは、前記リバースローラの前記回転軸に回動可能に取り付けられるアーム部を備え、前記伝達手段は、前記リバースローラの前記回転軸に取り付けられ爪部を有したスプリングクラッチと、前記シャッタの前記アーム部の前記リバースローラの前記回転軸への取付位置付近に設けられ前記スプリングクラッチの前記爪部の挿入される溝部の形成された連結部と、を備え、前記スプリングクラッチが前記リバースローラの前記回転軸の回転に伴って回転して、前記溝部に挿入された前記爪部が前記連結部に係合して前記シャッタを前記閉止位置と前記待避位置とに回動させることを特徴とする請求項１または請求項２記載の原稿分離給紙装置。
【請求項５】
前記連結部の前記溝部は、前記爪部の幅よりも所定量大きな幅を有した大きさに形成され、前記爪部が当該溝部内で所定量移動して、前記リバースローラの前記回転軸の回転を所定の遅延時間遅延させて前記シャッタに伝達することを特徴とする請求項４記載の原稿分離給紙装置。
【発明の詳細な説明】
【０００１】
【発明の属する技術分野】
本発明は、原稿分離給紙装置に関し、詳細には、ピックアップローラと分離ローラとの間に位置し閉止位置と待避位置とに移動して、原稿台上への原稿のセット時に原稿の先端を整えるとともに、分離ローラへの原稿の搬送を可能とするシャッタを簡単な構造で安価に移動する原稿分離給紙装置に関する。
【０００２】
【従来の技術】
従来、ファクシミリ装置や複写機等においては、読取対象の原稿を複数枚セットする原稿台と、当該原稿台上にセットされた複数枚の原稿を１枚ずつ分離して、原稿読取部に搬送する原稿分離給紙装置と、を備えている。
【０００３】
このような原稿分離給紙装置は、従来、図１０に示すように構成されている。すなわち、原稿分離給紙装置１は、複数枚の原稿２の載置される原稿台３の下方にピックアップローラ４が配設されており、ピックアップローラ４の原稿２の搬送方向側には、分離ローラ５とリバースローラ６が相当接する状態で配設されている。ピックアップローラ４は、記録紙２の原稿台３へのセット時には、分離ローラ５を支点として原稿台３の下方に下降して原稿台３にセットされる原稿２に接触しない状態となっており、原稿搬送時には、図１０に矢印で示す反時計方向に回転される分離ローラ５の回転に同期して反時計方向に回転されるとともに、分離ローラ５を支点として上方に上昇して原稿台３上の原稿２を分離ローラ５方向に送り出す。
【０００４】
原稿搬送時、分離ローラ５は、図示しない駆動機構により図１０に矢印で示す反時計方向に回転駆動されるとともに、リバースローラ６が、図１０に矢印で示すように、反時計方向に回転駆動され、ピックアップローラ４により原稿台３から送り出されてきた原稿２を１枚ずつ分離して、搬送ローラ対７に搬送する。
【０００５】
搬送ローラ対７は、搬送されてきた原稿２を密着型イメージセンサ８に搬送し、密着型イメージセンサ８の読取位置には、押さえローラ９が配設されている。押さえローラ９は、搬送されてきた原稿２を密着型イメージセンサ８に押さえつけつつ排紙ローラ対１０に搬送し、密着型イメージセンサ８は、押さえローラ９により搬送される原稿２を走査して、原稿２の画像を読み取る。
【０００６】
排紙ローラ対１０は、図示しない駆動機構により回転駆動されて、画像の読み取られた原稿２を図示しない排紙トレイ上に排出する。
【０００７】
そして、上記ピックアップローラ４と分離ローラ５の間には、シャッタ１１が配設されており、シャッタ１１は、支点１２を中心に、その先端が原稿台３上に当接する閉止位置と、所定量上方に移動した待避位置と、の間を回動可能に取り付けられている。シャッタ１１は、図示しない電磁ソレノイドにより回動駆動され、原稿２の原稿台３上へのセット時には、電磁ソレノイドがオフにされて、シャッタ１１は、その先端が原稿台３上に当接した閉止位置に位置して、原稿台３にセットされる原稿２の先端がシャッタ１１に当接して、分離ローラ５部分に押し込まれないようにする。また、シャッタ１１は、原稿搬送時には、電磁ソレノイドがオンされて、支点１２を中心として上方に所定量回動されて待避位置に位置し、ピックアップローラ４による原稿台３上の原稿２の分離ローラ５への搬送を可能とする。
【０００８】
【発明が解決しようとする課題】
しかしながら、このような従来の原稿分離給紙装置にあっては、シャッタを電磁ソレノイドにより回動させるようになっていたため、電磁ソレノイド及びこの電磁ソレノイドの駆動を制御する制御系（制御回路や制御ソフト）を必要とし、部品点数が多く、原稿分離給紙装置が大型で、高価なものになるという問題があった。
【０００９】
そこで、請求項１記載の発明は、原稿台上に原稿をセットする際には、ピックアップローラと分離ローラの間の閉止位置に位置して、原稿台上にセットされる原稿の先端を整え、原稿台上の原稿の搬送時には、原稿台上から離隔した待避位置に移動して原稿の搬送を可能とするシャッタを、リバースローラの回転軸に当該回転軸を支点として閉止位置と待避位置とに回動可能に取り付けるとともに、伝達手段によりリバースローラの回転軸の回転をシャッタに伝達して閉止位置と待避位置とに回動することにより、従来、シャッタを駆動するのに使用されていた電磁ソレノイド及び当該電磁ソレノイドの駆動制御系を削除して、部品点数を削減し、構造が簡単かつ安価で小型の原稿分離給紙装置を提供することを目的としている。
【００１０】
請求項２記載の発明は、シャッタを、原稿台上にセットされた原稿の先端の当接する部分が、原稿台から離れた側から原稿台方向に向かって原稿搬送方向に所定角度傾斜した傾斜面を有したものとすることにより、原稿台上にセットされた複数枚の原稿の先端を分離ローラ方向に向かって尖った楔形状に整え、分離ローラとリバースローラによる原稿の分離性能を向上させるとともに、原稿セット時の操作性を向上させることのできる構造が簡単かつ安価で小型の原稿分離給紙装置を提供することを目的としている。
【００１１】
請求項３記載の発明は、伝達手段を、少なくともシャッタを閉止位置から待避位置に回動させる際に、リバースローラの回転軸の回転を所定の遅延時間遅延させてシャッタに伝達するものとすることにより、原稿搬送時にピックアップローラにより分離ローラ方向に送り出された原稿の先端を遅延されて回動されるシャッタにより整え、分離ローラとリバースローラによる原稿の分離性能を向上させるとともに、原稿セット時の操作性を向上させることのできる構造が簡単かつ安価で小型の原稿分離給紙装置を提供することを目的としている。
【００１２】
請求項４記載の発明は、シャッタを、リバースローラの回転軸に回動可能に取り付けられるアーム部を備えたものとし、伝達手段を、リバースローラの回転軸に取り付けられ爪部を有したスプリングクラッチと、シャッタのアーム部のリバースローラの回転軸への取付位置付近に設けられスプリングクラッチの爪部の挿入される溝部の形成された連結部と、を備え、スプリングクラッチがリバースローラの回転軸の回転に伴って回転して、溝部に挿入された爪部が連結部に係合してシャッタを閉止位置と待避位置とに回動させるものとすることにより、伝達手段をより一層簡単な構造とし、より一層構造が簡単かつ安価で小型の原稿分離給紙装置を提供することを目的としている。
【００１３】
請求項５記載の発明は、連結部の溝部を、爪部の幅よりも所定量大きな幅を有した大きさに形成し、爪部が当該溝部内で所定量移動して、リバースローラの回転軸の回転を所定の遅延時間遅延させてシャッタに伝達するものとすることにより、より一層簡単な構造で、原稿搬送時にピックアップローラにより分離ローラ方向に送り出された原稿の先端を遅延されて回動されるシャッタにより整え、分離ローラとリバースローラによる原稿の分離性能を向上させるとともに、原稿セット時の操作性を向上させることのできるより一層構造が簡単かつ安価で小型の原稿分離給紙装置を提供することを目的としている。
【００１４】
【課題を解決するための手段】
請求項１記載の発明の原稿分離給紙装置は、原稿台上に載置された複数枚の原稿をピックアップローラにより分離ローラとリバースローラの間に送り出し、原稿搬送方向に回転される分離ローラと原稿搬送方向に対して逆方向に回転されるリバースローラとにより前記ピックアップローラにより送り出されてきた原稿を１枚ずつ分離して原稿読取部に搬送するとともに、前記原稿台上に前記原稿をセットする際には、前記ピックアップローラと前記分離ローラの間の閉止位置に位置して、前記原稿台上にセットされる前記原稿の先端を整え、前記原稿台上の前記原稿の搬送時には、前記原稿台上から離隔した待避位置に移動して前記原稿の搬送を可能とするシャッタを備えた原稿分離給紙装置において、前記シャッタは、前記リバースローラの回転軸に当該回転軸を支点として前記閉止位置と前記待避位置とに回動可能に取り付けられるとともに、所定の伝達手段により前記リバースローラの回転軸の回転が伝達されて前記閉止位置と前記待避位置とに回動されることにより、上記目的を達成している。
【００１５】
上記構成によれば、原稿台上に原稿をセットする際には、ピックアップローラと分離ローラの間の閉止位置に位置して、原稿台上にセットされる原稿の先端を整え、原稿台上の原稿の搬送時には、原稿台上から離隔した待避位置に移動して原稿の搬送を可能とするシャッタを、リバースローラの回転軸に当該回転軸を支点として閉止位置と待避位置とに回動可能に取り付けるとともに、伝達手段によりリバースローラの回転をシャッタに伝達して閉止位置と待避位置とに回動しているので、従来シャッタを駆動するのに使用されていた電磁ソレノイド及び当該電磁ソレノイドの駆動制御系を削除して、部品点数を削減することができ、原稿分離給紙装置を構造が簡単かつ安価で小型のものとすることができる。
【００１６】
この場合、例えば、請求項２に記載するように、前記シャッタは、前記原稿台上にセットされた前記原稿の先端の当接する部分が、前記原稿台から離れた側から前記原稿台方向に向かって前記原稿搬送方向に所定角度傾斜した傾斜面を有していてもよい。
【００１７】
上記構成によれば、シャッタを、原稿台上にセットされた原稿の先端の当接する部分が、原稿台から離れた側から原稿台方向に向かって原稿搬送方向に所定角度傾斜した傾斜面を有したものとしているので、原稿台上にセットされた複数枚の原稿の先端を分離ローラ方向に向かって尖った楔形状に整えることができ、分離ローラとリバースローラによる原稿の分離性能を向上させることができるとともに、原稿分離給紙装置を原稿セット時の操作性が良好で、構造が簡単かつ安価で小型のものとすることができる。
【００１８】
また、例えば、請求項３に記載するように、前記伝達手段は、少なくとも前記シャッタを前記閉止位置から前記待避位置に回動させる際に、前記リバースローラの回転軸の回転を所定の遅延時間遅延させて前記シャッタに伝達するものであってもよい。
【００１９】
上記構成によれば、伝達手段を、少なくともシャッタを閉止位置から待避位置に回動させる際に、リバースローラの回転を所定の遅延時間遅延させてシャッタに伝達するものとしているので、原稿搬送時にピックアップローラにより分離ローラ方向に送り出された原稿の先端を遅延されて回動されるシャッタにより整えることができ、分離ローラとリバースローラによる原稿の分離性能を向上させることができるとともに、原稿分離給紙装置を原稿セット時の操作性が良好で、構造が簡単かつ安価で小型のものとすることができる。
【００２０】
さらに、例えば、請求項４に記載するように、前記シャッタは、前記リバースローラの前記回転軸に回動可能に取り付けられるアーム部を備え、前記伝達手段は、前記リバースローラの前記回転軸に取り付けられ爪部を有したスプリングクラッチと、前記シャッタの前記アーム部の前記リバースローラの前記回転軸への取付位置付近に設けられ前記スプリングクラッチの前記爪部の挿入される溝部の形成された連結部と、を備え、前記スプリングクラッチが前記リバースローラの前記回転軸の回転に伴って回転して、前記溝部に挿入された前記爪部が前記連結部に係合して前記シャッタを前記閉止位置と前記待避位置とに回動させるものであってもよい。
【００２１】
上記構成によれば、シャッタを、リバースローラの回転軸に回動可能に取り付けられるアーム部を備えたものとし、伝達手段を、リバースローラの回転軸に取り付けられ爪部を有したスプリングクラッチと、シャッタのアーム部のリバースローラの回転軸への取付位置付近に設けられスプリングクラッチの爪部の挿入される溝部の形成された連結部と、を備え、スプリングクラッチがリバースローラの回転軸の回転に伴って回転して、溝部に挿入された爪部が連結部に係合してシャッタを閉止位置と待避位置とに回動させるものとしているので、伝達手段をより一層簡単な構造とすることができ、原稿分離給紙装置をより一層構造が簡単かつ安価で小型のものとすることができる。
【００２２】
また、例えば、請求項５に記載するように、前記連結部の前記溝部は、前記爪部の幅よりも所定量大きな幅を有した大きさに形成され、前記爪部が当該溝部内で所定量移動して、前記リバースローラの前記回転軸の回転を所定の遅延時間遅延させて前記シャッタに伝達するものであってもよい。
【００２３】
上記構成によれば、連結部の溝部を、爪部の幅よりも所定量大きな幅を有した大きさに形成し、爪部が当該溝部内で所定量移動して、リバースローラの回転軸の回転を所定の遅延時間遅延させてシャッタに伝達するものとしているので、より一層簡単な構造で、原稿搬送時にピックアップローラにより分離ローラ方向に送り出された原稿の先端を遅延されて回動されるシャッタにより整えることができ、分離ローラとリバースローラによる原稿の分離性能を向上させることができるとともに、原稿分離給紙装置を原稿セット時の操作性が良好で、より一層構造が簡単かつ安価で小型のものとすることができる。
【００２４】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２５】
図１〜図３は、本発明の原稿分離給紙装置の第１の実施の形態を示す図であり、本実施の形態は、リバースローラの回転を利用してシャッタを回動させるもので、請求項１及び請求項４に対応するものである。
【００２６】
図１は、本発明の原稿分離給紙装置の第１の実施の形態を適用した原稿読取装置２０の要部正面断面図である。
【００２７】
図１において、原稿読取装置２０は、その本体筐体２１の上部に支点２２を中心に上カバー２３が開閉可能に取り付けられており、本体筐体２１と上カバー２３の間に原稿搬送路２４が形成されている。
【００２８】
本体筐体２１の上面に原稿台２５が形成されており、原稿台２５上には、複数枚の原稿２６がセットされる。原稿台２５に対向する上カバー２３には、原稿押さえ部材２７が取り付けられており、原稿押さえ部材２７は、原稿台２５上にセットされた原稿２６を原稿台２５に押し付ける。
【００２９】
原稿台２５の下方には、ピックアップローラ２８が配設されており、ピックアップローラ２８は、本体筐体２１に配設された分離ローラ２９の軸心に係合して分離ローラ２９の回転に同期して回転されるとともに、図２に示すように、分離ローラ２９の軸心を中心に所定量回動可能に配設されている。原稿台２５には、ピックアップローラ２８が分離ローラ２９を中心に上方に回動した際に、原稿台２５の表面から所定量上方に突出可能とするためのスリット２５ａが形成されており、ピックアップローラ２８は、上方に回動したとき、このスリット２５ａから原稿台２５上にセットされている原稿２６のうち最下段の原稿２６の裏面に当接する。
【００３０】
分離ローラ２９は、図示しない駆動機構により図１中矢印で示す反時計方向に回転駆動され、分離ローラ２９の上方には、分離ローラ２９に当接する状態でリバースローラ３０が上カバー２３に配設されている。リバースローラ３０は、図１中矢印で示す反時計方向に回転駆動され、分離ローラ２９との間に搬送されてきた原稿２６を１枚ずつ分離して、最下段以外の原稿２６を原稿台２５方向に送り返す。
【００３１】
このリバースローラ３０の回転軸３０ａには、シャッタ３１のアーム部３１ａが取り付けられており、シャッタ３１は、その両端部に、図３に示すように、一対のアーム部３１ａを備えている。各アーム部３１ａには、リバースローラ３０の回転軸３０ａの挿入される挿入穴３１ｂが形成されており、一方のアーム部３１ａの外面の挿入穴３１ｂの周囲には、略リング状に突出するとともに、溝部３２の形成された連結部３３が形成されている。この連結部３３の溝部３２には、リバースローラ３０の回転軸３０ａに挿入されるスプリングクラッチ３４の爪３４ａが挿入され、シャッタ３１は、スプリングクラッチ３４の爪３４ａが連結部３３の溝部３２に挿入されて連結部３３に係合することにより、リバースローラ３０の回転軸３０ａの回転に伴って、回転軸３０ａを中心に、図２に一点鎖線で示す閉止位置と実線で示す待避位置の間を回動する。
【００３２】
すなわち、シャッタ３１は、そのアーム部３１ａの挿入穴３１ｂが、リバースローラ３０の回転軸３０ａに挿入されることにより、リバースローラ３０の回転軸３０ａに取り付けられ、その後、スプリングクラッチ３４がリバースローラ３０の回転軸３０ａに挿入されて、スプリングクラッチ３４の爪３４ａがシャッタ３１の連結部３３の溝部３２に挿入されることにより、リバースローラ３０の回転軸３０ａの回転に伴って所定量回転駆動可能な状態で、リバースローラ３０の回転軸３０ａに取り付けられている。
【００３３】
なお、リバースローラ３０は、ギヤ機構３５を介して図示しないモータにより回転駆動される。上記爪３４ａを備えたスプリングクラッチ３４と溝部３２が形成されアーム部３１ａの周囲に形成された連結部３３は、全体として伝達手段として機能している。
【００３４】
したがって、原稿搬送時に、リバースローラ３０が反時計方向に回転駆動されると、回転軸３０ａに挿入されたスプリングクラッチ３４の爪３４ａが連結部の溝部３２に係合して、シャッタ３１を上方、すなわち、原稿台２５から離れた待避位置方向に回動し、原稿２６の搬送が完了すると、リバースローラ３０が時計方向に回転され、このリバースローラ３０の時計方向の回転に伴って、スプリングクラッチ３４の爪３４ａによるシャッタ３１の上方への付勢が解除されて、シャッタ３１が下方、すなわち、原稿台２５に当接する閉止位置方向に回動する。
【００３５】
再び、図１及び図２において、原稿読取装置２０は、分離ローラ２９の原稿搬送方向下流側、すなわち、図１及び図２の分離ローラ２９の左方向には、搬送ローラ対３６が配設されており、搬送ローラ対３６のさらに原稿搬送方向下流側に密着型イメージセンサ３７が配設されている。搬送ローラ対３６は、分離ローラ２９及びリバースローラ３０により１枚ずつ分離されて搬送されてきた原稿２６を密着型イメージセンサ３７に搬送し、密着型イメージセンサ３７の上部には、押さえローラ３８が配設されている。押さえローラ３８は、図示しない駆動機構により時計方向に回転駆動され、搬送されてきた原稿２６を密着型イメージセンサ３７の読取位置に押さえつけつつ搬送する。原稿読取装置２０は、密着型イメージセンサ３７の原稿搬送方向下流側に排紙ローラ対３９が配設されており、排紙ローラ対３９は、密着型イメージセンサ３７で読み取りの完了した原稿２６を、図示しない排紙トレイ上に排出する。
【００３６】
次に、本実施の形態の作用を説明する。原稿読取装置２０は、シャッタ３１が、そのアーム部３１ａがリバースローラ３０の回転軸３０ａに支持されているとともに、アーム部３１ａに形成された連結部３３の溝部３２に、リバースローラ３０の回転軸３０ａに挿入されたスプリングクラッチ３４の爪３４ａが係合されている。
【００３７】
したがって、リバースローラ３０の回転駆動されない待機時や原稿２６を原稿台２５上にセットする際には、シャッタ３１は、図１に示すように、下端面（原稿台２５側の面）が原稿台２５に当接した閉止位置に位置しており、原稿台２５にセットされる原稿２６の先端部がシャッタ３１に当接して、原稿２６の先端部を揃えるとともに、原稿２６が分離ローラ２９とリバースローラ３０の間に侵入するのを阻止している。
【００３８】
上述のようにして、原稿台２５上に複数枚の原稿２６がセットされ、原稿２６の読み取りの開始を指示するキー操作が図示しない操作表示部のキー操作により行われると、原稿読取装置２０は、分離ローラ２９とリバースローラ３０を反時計方向に回転駆動させるとともに、搬送ローラ対３６、押さえローラ３８及び排紙ローラ対３９を回転駆動させ、分離ローラ２９が反時計方向に回転駆動されると、ピックアップローラ２８が、図２に実線で示すように、分離ローラ２９を中心に上方に回動して原稿台２５上の原稿２６の最下段の原稿２６に当接するとともに、反時計方向に回転して、当該最下段の原稿２６を分離ローラ２９方向に送り出す。
【００３９】
このとき、シャッタ３１は、リバースローラ３０の回転に伴って、リバースローラ３０の回転軸３０ａを中心にして上方に回動して、図２に一点鎖線で示す閉止位置から実線で示す待避位置に移動し、ピックアップローラ２８により送り出された原稿２６の分離ローラ２９への移動を可能とする。
【００４０】
すなわち、リバースローラ３０が反時計方向に回転駆動されると、回転軸３０ａに挿入されたスプリングクラッチ３４の爪３４ａが連結部の溝部３２に係合して、シャッタ３１は、回転軸３０ａを中心として上方、すなわち、原稿台２５から離れる方向に回動される。
【００４１】
分離ローラ２９とリバースローラ３０は、ピックアップローラ２８により送り出されてきた原稿２５を１枚ずつ分離して、搬送ローラ対３６に搬送し、搬送ローラ対３６は、搬送されてきた原稿２６を密着型イメージセンサ３７と押さえローラ３８の間に搬送する。押さえローラ３８は、搬送ローラ対３６により搬送されてきた原稿２６を密着型イメージセンサ３７に押さえつけつつ排紙ローラ対３９に搬送し、密着型イメージセンサ３７は、この搬送される原稿２６の画像を読み取る。
【００４２】
排紙ローラ対３９は、読み取りの完了した原稿２６を図外の排紙トレイ上に排出する。
【００４３】
原稿台２５上の全ての原稿２６の搬送が完了すると、原稿読取装置２０は、次に原稿台２５上に原稿２６がセットされる際に、原稿２６の先端をシャッタ３１に当接させるために、リバースローラ３０を原稿搬送時とは反対方向である時計方向に所定量回転させ、シャッタ３１を待避位置から下方に回動させて、シャッタ３１の先端が原稿台２５に当接した閉止位置に移動させる。
【００４４】
このように、本実施の形態の原稿読取装置２０は、原稿台２５上に原稿２６をセットする際には、ピックアップローラ２８と分離ローラ２９の間の閉止位置に位置して、原稿台２５上にセットされる原稿２６の先端を整え、原稿台２５上の原稿２６の搬送時には、原稿台２５上から離隔した待避位置に移動して原稿２６の搬送を可能とするシャッタ３１を、リバースローラ３０の回転軸３０ａに当該回転軸３０ａを支点として閉止位置と待避位置とに回動可能に取り付けるとともに、リバースローラ３０の回転をシャッタ３１に伝達して閉止位置と待避位置とに回動している。したがって、従来、シャッタを駆動するのに使用されていた電磁ソレノイド及び当該電磁ソレノイドの駆動制御系を削除して、部品点数を削減することができ、原稿読取装置２０を構造が簡単かつ安価で小型のものとすることができる。
【００４５】
また、原稿読取装置２０は、シャッタ３１を、リバースローラ３０の回転軸３０ａに回動可能に取り付けられるアーム部３１ａを備えたものとし、リバースローラ３０の回転をシャッタ３１に伝達する伝達手段を、リバースローラ３０の回転軸３０ａに取り付けられ爪部３４ａを有したスプリングクラッチ３４と、シャッタ３１のアーム部３１ａのリバースローラ３０の回転軸３０ａへの取付位置付近に設けられスプリングクラッチ３４の爪部３４ａの挿入される溝部３２の形成された連結部３３と、を備え、スプリングクラッチ３４がリバースローラ３０の回転軸３０ａの回転に伴って回転して、溝部３２に挿入された爪部３４ａが連結部３３に係合してシャッタ３１を閉止位置と待避位置とに回動させるものとしている。したがって、伝達手段をより一層簡単な構造とすることができ、原稿読取装置２０をより一層構造が簡単かつ安価で小型のものとすることができる。
【００４６】
図４及び図５は、本発明の原稿分離給紙装置の第２の実施の形態を示す図であり、本実施の形態は、リバースローラの回転を利用して回動させるシャッタの原稿当接面を傾斜面としたもので、請求項２及び請求項４に対応するものである。
【００４７】
なお、本実施の形態は、上記第１の実施の形態の原稿読取装置と同様の原稿読取装置に適用したものであり、本実施の形態の説明において、上記第１の実施の形態と同様の構成部分には、同一の符号を付して、その詳細な説明を省略する。
【００４８】
図４は、本発明の原稿分離給紙装置の第２の実施の形態を適用した原稿読取装置５０の原稿セット時の要部正面断面図であり、図５は、原稿読取装置５０の原稿搬送時の要部正面断面図である。
【００４９】
図４及び図５において、原稿読取装置５０は、リバースローラ３０の回転軸３０ａにシャッタ５１が回動可能に取り付けられており、シャッタ５１は、一対のアーム部５１ａを備えている。アーム部５１ａは、上記第１の実施の形態のシャッタ３１のアーム部３１ａと同様に、図示しない挿入穴を有し、当該挿入穴がリバースローラ３０の回転軸３０ａに挿入されて、リバースローラ３０の回転軸３０ａに回動可能に取り付けられている。このシャッタ５１のアーム部５１ａの挿入穴部分に、上記第１の実施の形態のシャッタ３１と同様に、溝部の形成された連結部が形成され、当該連結部の溝部にリバースローラ３０の回転軸３０ａに挿入されるスプリングクラッチ３４の爪３４ａが挿入されて、シャッタ５１は、リバースローラ３０の回転により閉止位置と待避位置に回動される。
【００５０】
このシャッタ５１は、その原稿台２５側の先端部５１ｂが原稿搬送方向に所定角度屈曲されて、所定角度原稿搬送方向に傾斜した傾斜面に形成されている。
【００５１】
次に、本実施の形態の作用を説明する。原稿読取装置５０は、原稿のセット時、シャッタ５１がその先端部５１ｂの先端が原稿台２５に当接した閉止位置に位置しており、この状態で、複数枚の原稿２６が原稿台２５上にセットされると、原稿２６は、その先端がシャッタ５１に当接して、先端が揃えられる。
【００５２】
このとき、シャッタ５１は、その先端部５１ｂが原稿搬送方向に所定角度屈曲されて原稿搬送方向に所定角度傾斜した状態となっているため、シャッタ５１の先端部５１ｂに当接した複数枚の原稿２６の先端は、シャッタ５１の傾斜面に沿って揃えられ、原稿台２５に近い方の原稿２６、すなわち、下方の原稿２６ほど分離ローラ２９方向に突出した楔形状に揃えられることになる。
【００５３】
その後、原稿読取装置５０は、操作表示部のキー操作により原稿読取の指示操作が行われると、各ローラを駆動させ、分離ローラ２９が駆動されると、図５に示すように、ピックアップローラ２８が上方に回動するとともに、回転して、原稿台２５上の原稿２６を分離ローラ２９及びリバースローラ３０方向に送り出す。分離ローラが回転されると、シャッタ５１は、リバースローラ３０の回転に伴って、リバースローラ３０の回転軸３０ａを中心にして上方に回動して、閉止位置から待避位置に移動し、ピックアップローラ２８により送り出された原稿２６の分離ローラ２９への移動を可能とする。
【００５４】
このとき、ピックアップローラ２８の回転により原稿台２５上の最下段の原稿２６が分離ローラ２９方向に送り出されるが、この最下段の原稿２６の分離ローラ２９方向の移動に伴って、上部の原稿２６も分離ローラ２９方向に移動するが、原稿２６は、上記楔形状を維持した状態で分離ローラ２９方向に移動され、分離ローラ２９とリバースローラ３０により適切に１枚ずつ分離されて、搬送ローラ対３６に搬送される。
【００５５】
したがって、原稿台２５上の複数枚の原稿２６の先端部を楔形状に形成することができ、分離ローラ２９とリバースローラ３０によりより一層適切に原稿２６を１枚ずつ分離して、搬送することができ、原稿２６の重送をより適切に防止することができる。
【００５６】
図６〜図９は、本発明の原稿分離給紙装置の第３の実施の形態を示す図であり、本実施の形態は、リバースローラの回転を利用して回動させるシャッタを、リバースローラの回転に所定量遅延させた状態で回動させるもので、請求項３及び請求項５に対応するものである。
【００５７】
なお、本実施の形態は、上記第１の実施の形態の原稿読取装置と同様の原稿読取装置に適用したものであり、本実施の形態の説明において、上記第１の実施の形態と同様の構成部分には、同一の符号を付して、その詳細な説明を省略する。
【００５８】
図６は、本発明の原稿分離給紙装置の第３の実施の形態を適用した原稿読取装置６０の原稿セット時の要部正面断面図である。
【００５９】
図６において、原稿読取装置６０は、リバースローラ３０の回転軸３０ａにシャッタ６１が回動可能に取り付けられており、シャッタ６１は、図７に示すように、一対のアーム部６１ａを備えている。アーム部６１ａは、挿入穴６１ｂを有し、当該挿入穴６１ｂがリバースローラ３０の回転軸３０ａに挿入されて、リバースローラ３０の回転軸３０ａに回動可能に取り付けられている。このシャッタ６１のアーム部６１ａの挿入穴６１ｂ部分には、溝部６２の形成された連結部６３が形成され、当該連結部６３の溝部６２にリバースローラ３０の回転軸３０ａに挿入されるスプリングクラッチ３４の爪３４ａが挿入されて、シャッタ６１は、リバースローラ３０の回転により閉止位置と待避位置に回動される。
【００６０】
連結部６３の溝部６２は、スプリングクラッチ３４の爪３４ａの挿入に必要な幅以上に、所定の角度αを有した大きさに形成されており、スプリングクラッチ３４の爪３４ａがリバースローラ３０の回転軸３０ａの回転に伴って回転されても、溝６２の角度αの大きさに対応した量だけ遅延して、シャッタ６１が回動される。
【００６１】
このシャッタ６１は、その原稿台２５側の先端部６１ｃが、上記第２の実施の形態のシャッタ５１の先端部５１ｂと同様に、原稿搬送方向に所定角度屈曲されて、所定角度原稿搬送方向に傾斜した傾斜面に形成されている。
【００６２】
次に、本実施の形態の作用を説明する。原稿読取装置６０は、原稿のセット時、シャッタ６１がその先端部６１ｃの先端が原稿台２５に当接した閉止位置に位置しており、この状態で、複数枚の原稿２６が原稿台２５上にセットされると、原稿２６は、その先端がシャッタ６１に当接して、先端が揃えられる。このとき、シャッタ６１は、その先端部６１ｃが原稿搬送方向に所定角度屈曲されて原稿搬送方向に所定角度傾斜した状態となっているため、シャッタ６１の先端部６１ｃに当接した複数枚の原稿２６の先端は、シャッタ６１の傾斜面に沿って揃えられ、原稿台２５に近い方の原稿２６、すなわち、下方の原稿２６ほど分離ローラ２９方向に突出した楔形状に揃えられることになる。
【００６３】
その後、原稿読取装置６０は、操作表示部のキー操作により原稿読取の指示操作が行われると、各ローラを駆動させ、分離ローラ２９が駆動されると、図８に示すように、ピックアップローラ２８が上方に回動するとともに、回転して、原稿台２５上の原稿２６を分離ローラ２９及びリバースローラ３０方向に送り出そうとする。
【００６４】
ところが、図７に示したように、シャッタ６１の連結部６３の溝部６２は、所定の大きさの角度αを有して形成されているため、リバースローラ３０の回転軸３０ａが回転して、当該回転軸３０ａの回転に連れてスプリングクラッチ３４が回転しても、溝部６２内に挿入されたスプリングクラッチ３４の爪部３４ａが連結部６３に係合して、連結部６３を介してシャッタ６１を回動させるまでに所定の遅延時間が発生する。
【００６５】
この遅延時間内においては、図８に示すように、シャッタ６１は、その先端部６１ｃが原稿台２５上に当接した状態となっており、ピックアップローラ２８の回転により分離ローラ２９方向に送り出された原稿台２５上の原稿２６は、シャッタ６１の傾斜した先端部６１ｃに当接して、原稿２６の先端は、シャッタ６１の傾斜した先端部６１ｃにより楔形状に成形される。
【００６６】
その後、溝部６２の角度αに対応した遅延時間が経過した後、シャッタ６１は、リバースローラ３０の回転軸３０ａの回転に伴って、図９に示すように、上方に回動して待避位置に移動し、原稿２６は、ピックアップローラ２８により、分離ローラ２９方向に移動されるが、原稿２６は、上記楔形状を維持した状態で分離ローラ２９方向に移動され、分離ローラ２９とリバースローラ３０により適切に１枚ずつ分離されて、搬送ローラ対３６に搬送される。
【００６７】
したがって、原稿台２５上の複数枚の原稿２６の先端部をピックアップローラ２８の回転よりも遅延して上方に回動するシャッタ６１の傾斜した先端部６１ｃにより、適切に楔形状に形成することができ、分離ローラ２９とリバースローラ３０によりより一層適切に原稿２６を１枚ずつ分離して、搬送することができ、原稿２６の重送をより適切に防止することができる。
【００６８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６９】
【発明の効果】
請求項１記載の発明の原稿分離給紙装置によれば、原稿台上に原稿をセットする際には、ピックアップローラと分離ローラの間の閉止位置に位置して、原稿台上にセットされる原稿の先端を整え、原稿台上の原稿の搬送時には、原稿台上から離隔した待避位置に移動して原稿の搬送を可能とするシャッタを、リバースローラの回転軸に当該回転軸を支点として閉止位置と待避位置とに回動可能に取り付けるとともに、伝達手段によりリバースローラの回転軸の回転をシャッタに伝達して閉止位置と待避位置とに回動しているので、従来シャッタを駆動するのに使用されていた電磁ソレノイド及び当該電磁ソレノイドの駆動制御系を削除して、部品点数を削減することができ、原稿分離給紙装置を構造が簡単かつ安価で小型のものとすることができる。
【００７０】
請求項２記載の発明の原稿分離給紙装置によれば、シャッタを、原稿台上にセットされた原稿の先端の当接する部分が、原稿台から離れた側から原稿台方向に向かって原稿搬送方向に所定角度傾斜した傾斜面を有したものとしているので、原稿台上にセットされた複数枚の原稿の先端を分離ローラ方向に向かって尖った楔形状に整えることができ、分離ローラとリバースローラによる原稿の分離性能を向上させることができるとともに、原稿分離給紙装置を原稿セット時の操作性が良好で、構造が簡単かつ安価で小型のものとすることができる。
【００７１】
請求項３記載の発明の原稿分離給紙装置によれば、伝達手段を、少なくともシャッタを閉止位置から待避位置に回動させる際に、リバースローラの回転軸の回転を所定の遅延時間遅延させてシャッタに伝達するものとしているので、原稿搬送時にピックアップローラにより分離ローラ方向に送り出された原稿の先端を遅延されて回動されるシャッタにより整えることができ、分離ローラとリバースローラによる原稿の分離性能を向上させることができるとともに、原稿分離給紙装置を原稿セット時の操作性が良好で、構造が簡単かつ安価で小型のものとすることができる。
【００７２】
請求項４記載の発明の原稿分離給紙装置によれば、シャッタを、リバースローラの回転軸に回動可能に取り付けられるアーム部を備えたものとし、伝達手段を、リバースローラの回転軸に取り付けられ爪部を有したスプリングクラッチと、シャッタのアーム部のリバースローラの回転軸への取付位置付近に設けられスプリングクラッチの爪部の挿入される溝部の形成された連結部と、を備え、スプリングクラッチがリバースローラの回転軸の回転に伴って回転して、溝部に挿入された爪部が連結部に係合してシャッタを閉止位置と待避位置とに回動させるものとしているので、伝達手段をより一層簡単な構造とすることができ、原稿分離給紙装置をより一層構造が簡単かつ安価で小型のものとすることができる。
【００７３】
請求項５記載の発明の原稿分離給紙装置によれば、連結部の溝部を、爪部の幅よりも所定量大きな幅を有した大きさに形成し、爪部が当該溝部内で所定量移動して、リバースローラの回転軸の回転を所定の遅延時間遅延させてシャッタに伝達するものとしているので、より一層簡単な構造で、原稿搬送時にピックアップローラにより分離ローラ方向に送り出された原稿の先端を遅延されて回動されるシャッタにより整えることができ、分離ローラとリバースローラによる原稿の分離性能を向上させることができるとともに、原稿分離給紙装置を原稿セット時の操作性が良好で、より一層構造が簡単かつ安価で小型のものとすることができる。
【図面の簡単な説明】
【図１】本発明の原稿分離給紙装置の第１の実施の形態を適用した原稿読取装置の原稿セット時の要部正面断面図。
【図２】図１の原稿読取装置の原稿搬送時の要部正面断面図。
【図３】図１のシャッタ部分の拡大分解斜視図。
【図４】本発明の原稿分離給紙装置の第２の実施の形態を適用した原稿読取装置の原稿セット時の要部正面断面図。
【図５】図４の原稿読取装置の原稿搬送時の要部正面断面図。
【図６】本発明の原稿分離給紙装置の第３の実施の形態を適用した原稿読取装置の原稿セット時の要部正面断面図。
【図７】図６のシャッタ部分の拡大分解斜視図。
【図８】図６の原稿読取装置のピックアップローラにより原稿をシャッタに押し付けている状態の要部正面断面図。
【図９】図６の原稿読取装置の原稿搬送時の要部正面断面図。
【図１０】従来の原稿分離給紙装置の要部正面断面図。
【符号の説明】
２０  原稿読取装置
２１  本体筐体
２２  支点
２３  上カバー
２４  原稿搬送路
２５  原稿台
２５ａ  スリット
２６  原稿
２７  原稿押さえ部材
２８  ピックアップローラ
２９  分離ローラ
３０  リバースローラ
３０ａ  回転軸
３１  シャッタ
３１ａ  アーム部
３１ｂ  挿入穴
３２  溝部
３３  連結部
３４  スプリングクラッチ
３４ａ  爪
３５  ギヤ機構
３６  搬送ローラ対
３７  密着型イメージセンサ
３８  押さえローラ
３９  排紙ローラ対
５０  原稿読取装置
５１  シャッタ
５１ａ  アーム部
５１ｂ  先端部
６０  原稿読取装置
６１  シャッタ
６１ａ  アーム部
６１ｂ  挿入穴
６１ｃ  先端部
６２  溝部
６３  連結部
【図１】
0003655078.tif 000002
【図２】
0003655078.tif 000003
【図３】
0003655078.tif 000004
【図７】
0003655078.tif 000005
【図４】
0003655078.tif 000006
【図５】
0003655078.tif 000007
【図６】
0003655078.tif 000008
【図８】
0003655078.tif 000009
【図９】
0003655078.tif 000010
【図１０】
0003655078.tif 000011